(57)【要約】【課題】本発明は、案内板先端を通り抜ける用紙の後端のばたつきを抑えることで、用紙に形成される画像の品質を向上させることができる画像形成装置およびプロセスカートリッジを提供することを課題とする。【解決手段】レーザプリンタは、トナー像を担持する感光ドラム２７と、感光ドラム２７に対向配置され、感光ドラム２７上のトナー像を用紙３に転写する転写ローラ３０と、感光ドラム２７と転写ローラ３０の間の転写位置Ｃへ用紙３を搬送する給紙ローラと、給紙ローラにより搬送される用紙３を感光ドラム２７へ向けて案内する案内板６１とを備えている。そして、案内板６１と転写位置Ｃとの間には、案内板６１よりも軟らかいスポンジ６２が設けられている。【選択図】図２
2008026809.tif 000002
【特許請求の範囲】
【請求項１】
現像剤像を担持する像担持体と、
前記像担持体に対向配置され、前記像担持体上の前記現像剤像を記録シートに転写する転写手段と、
前記像担持体と前記転写手段の間の転写位置へ記録シートを搬送する搬送手段と、
前記搬送手段により搬送される記録シートを前記像担持体へ向けて案内する案内板とを備え、
前記案内板と前記転写位置との間には、前記案内板よりも軟らかい緩衝部材が設けられていることを特徴とする画像形成装置。
【請求項２】
前記案内板は、前記像担持体とは反対側の端部が支持されることで、先端が揺動自在であり、
前記緩衝部材は、前記案内板の揺動範囲外に設けられていることを特徴とする請求項１に記載の画像形成装置。
【請求項３】
前記緩衝部材の前記記録シート側の面を、前記像担持体と前記転写手段のニップ搬送方向に対して、シート搬送方向における下流側が上流側よりも前記像担持体側に近づくように傾斜させたことを特徴とする請求項１または請求項２に記載の画像形成装置。
【請求項４】
前記緩衝部材の前記記録シート側の面を、前記像担持体と前記転写手段のニップ搬送方向に対して、平行またはシート搬送方向における下流側が上流側よりも前記転写手段側に近づくような傾斜状に形成したことを特徴とする請求項１または請求項２に記載の画像形成装置。
【請求項５】
前記緩衝部材の前記記録シート側の面のうちシート搬送方向の上流側の面と下流側の面を、前記像担持体と前記転写手段のニップ搬送方向に対して傾斜させて山型に形成したことを特徴とする請求項１または請求項２に記載の画像形成装置。
【請求項６】
前記緩衝部材の少なくとも一部が、前記転写位置よりも前記像担持体側に位置することを特徴とする請求項１〜請求項５のうちのいずれか１項に記載の画像形成装置。
【請求項７】
画像形成装置に着脱自在に装着されるプロセスカートリッジであって、
現像剤像を担持して、所定の転写位置で記録シートに対して前記現像剤像を転写させる感光ドラムと、
前記転写位置へ向けて搬送される前記記録シートを前記感光ドラムへ向けて案内する案内板とを備え、
前記案内板と前記転写位置との間には、前記案内板よりも軟らかい緩衝部材が設けられていることを特徴とするプロセスカートリッジ。
【発明の詳細な説明】
【技術分野】
【０００１】
本発明は、レーザプリンタなどの画像形成装置と、この画像形成装置に着脱自在に装着されるプロセスカートリッジに関する。
【背景技術】
【０００２】
一般に、レーザプリンタなどの電子写真方式の画像形成装置には、現像剤像を担持する感光ドラムと、現像剤像を引き寄せる転写バイアスが印加される転写ローラとが互いに当接した状態で設けられており、これらの間を用紙が通過する際に現像剤像が転写ローラ側に移動することで用紙に現像剤像が転写されて画像が形成されるようになっている。ところで、このような画像形成装置では、感光ドラムと転写ローラとの間における転写位置よりも用紙の搬送方向上流側において、感光ドラムと用紙が離れていると、それらの間に電界が発生した場合に現像剤が飛散して用紙が汚れるといった問題（いわゆる、プレ転写）があった。
【０００３】
このような問題に対しては、従来、転写位置よりも上流側に設けた案内板によって用紙を感光ドラム側へ寄せることで、プレ転写を抑制する技術が知られている（特許文献１参照）。
【０００４】
【特許文献１】特開２００３−５５３５号公報（図１）
【発明の開示】
【発明が解決しようとする課題】
【０００５】
しかしながら、前記した技術では、用紙の後端（上流側の端部）が案内板先端を通り抜けるときに、それまで案内板で支持されていた用紙の後端が自由になることで、用紙の後端がばたつくことがあった。そして、このような用紙後端のばたつきは、転写不良を引き起こして用紙に形成される画像の品質低下を招来させるおそれがあった。
【０００６】
そこで、本発明は、案内板先端を通り抜ける用紙の後端のばたつきを抑えることで、用紙に形成される画像の品質を向上させることができる画像形成装置およびプロセスカートリッジを提供することを課題とする。
【課題を解決するための手段】
【０００７】
前記課題を解決するために、本発明に係る画像形成装置は、現像剤像を担持する像担持体と、前記像担持体に対向配置され、前記像担持体上の前記現像剤像を記録シートに転写する転写手段と、前記像担持体と前記転写手段の間の転写位置へ記録シートを搬送する搬送手段と、前記搬送手段により搬送される記録シートを前記像担持体へ向けて案内する案内板とを備え、前記案内板と前記転写位置との間に、前記案内板よりも軟らかい緩衝部材が設けられていることを特徴とする。なお、像担持体が感光ドラムである場合には、この感光ドラムは、画像形成装置に着脱自在に装着されるプロセスカートリッジに設けてもよい。さらに、この場合には、プロセスカートリッジに、案内板や緩衝部材を設けてもよい。
【０００８】
本発明によれば、案内板と転写位置との間に案内板よりも軟らかい緩衝部材が設けられているので、案内板先端を通り抜けた用紙の後端は、緩衝部材で受け止められて、そのばたつきが抑制される。
【発明の効果】
【０００９】
本発明によれば、案内板先端を通り抜けた用紙の後端が緩衝部材で受け止められることにより、用紙後端のばたつきが抑制されるので、用紙に形成される画像の品質を向上させることができる。
【発明を実施するための最良の形態】
【００１０】
＜レーザプリンタの全体構成＞
最初に、本発明の画像形成装置の一例としてのレーザプリンタの全体構成について簡単に説明する。参照する図面において、図１は、本発明の画像形成装置の一例としてのレーザプリンタの一実施形態を示す側断面図である。
図１に示すように、レーザプリンタ１は、本体ケーシング２内に用紙３を給紙するためのフィーダ部４や、給紙された用紙３に画像を形成するための画像形成部５などを備えている。
【００１１】
＜フィーダ部の構成＞
フィーダ部４は、本体ケーシング２内の底部に着脱可能に装着される給紙トレイ６と、給紙トレイ６内に設けられた用紙押圧板７を備えている。また、フィーダ部４は、給紙トレイ６の一端側端部の上方に設けられる給紙ローラ８および給紙パット９と、給紙ローラ８に対し用紙３の搬送方向の下流側に設けられる紙粉取りローラ１０，１１を備えている。さらに、フィーダ部４は、紙粉取りローラ１０，１１に対して下流側に設けられるレジストローラ１２を備えている。なお、以下の説明においては、用紙３の搬送方向下流側または上流側を、単に、下流側または上流側という場合があるとともに、搬送されている用紙３の下流側の端縁を先端、上流側の端縁を後端という場合がある。
【００１２】
そして、このように構成されるフィーダ部４では、給紙トレイ６内の用紙３が、用紙押圧板７によって給紙ローラ８側に寄せられ、この給紙ローラ８および給紙パット９で送り出されて各種ローラ１０〜１２を通った後一枚ずつ画像形成部５（詳しくは、転写位置Ｃ；図２参照）に搬送されるようになっている。
【００１３】
＜画像形成部の構成＞
画像形成部５は、スキャナ部１６、プロセスカートリッジ１７、定着部１８などを備えている。
【００１４】
＜スキャナ部の構成＞
スキャナ部１６は、本体ケーシング２内の上部に設けられ、レーザ発光部（図示せず。）、回転駆動されるポリゴンミラー１９、レンズ２０，２１、反射鏡２２，２３，２４などを備えている。レーザ発光部から発光される画像データに基づくレーザビームは、鎖線で示すように、ポリゴンミラー１９、レンズ２０、反射鏡２２，２３、レンズ２１、反射鏡２４の順に通過あるいは反射して、プロセスカートリッジ１７の感光ドラム２７の表面上に高速走査にて照射される。
【００１５】
＜プロセスカートリッジの構成＞
プロセスカートリッジ１７は、スキャナ部１６の下方に配設され、本体ケーシング２に対して着脱自在に装着される構造となっている。そして、このプロセスカートリッジ１７の外枠を構成する中空の筐体５１内には、現像カートリッジ２８、感光ドラム２７、スコロトロン型帯電器２９および転写ローラ３０が主に設けられている。
【００１６】
現像カートリッジ２８は、筐体５１に対して着脱自在に装着されており、現像ローラ３１、層厚規制ブレード３２、供給ローラ３３およびトナーホッパ３４を備えている。そして、トナーホッパ３４内のトナーは、供給ローラ３３の矢印方向（反時計方向）への回転により、現像ローラ３１に供給され、このとき、供給ローラ３３と現像ローラ３１との間で正に摩擦帯電される。現像ローラ３１上に供給されたトナーは、現像ローラ３１の矢印方向（反時計方向）への回転に伴なって、層厚規制ブレード３２と現像ローラ３１との間に進入し、一定厚さの薄層として現像ローラ３１上に担持される。
【００１７】
感光ドラム２７は、筐体５１に、矢印方向（時計方向）へ回転可能に支持されている。この感光ドラム２７は、ドラム本体が接地されるとともに、その表面部分がポリカーボネートからなる正帯電性の感光層により形成されている。
【００１８】
スコロトロン型帯電器２９は、感光ドラム２７の上方に、感光ドラム２７に接触しないように、所定間隔を隔てて対向配置されている。このスコロトロン型帯電器２９は、タングステンなどの帯電用ワイヤからコロナ放電を発生させる正帯電用のスコロトロン型の帯電器であり、感光ドラム２７の表面を一様に正極性に帯電させるように構成されている。
【００１９】
転写ローラ３０は、感光ドラム２７の下方において、この感光ドラム２７に対向して接触するように配置され、筐体５１に、矢印方向（反時計方向）へ回転可能に支持されている。この転写ローラ３０は、金属製のローラ軸に、導電性のゴム材料が被覆されて構成されている。この転写ローラ３０には、転写時に、定電流制御によって転写バイアスが印加される。なお、この転写ローラ３０と感光ドラム２７との接触位置（ニップ位置）で、転写位置Ｃ（図２参照）が形成される。
【００２０】
そして、感光ドラム２７の表面は、スコロトロン型帯電器２９により一様に正帯電された後、スキャナ部１６からのレーザビームの高速走査により露光される。これにより、露光された部分の電位が下がって、画像データに基づく静電潜像が形成される。ここで、「静電潜像」とは、一様に正帯電されている感光ドラム２７の表面のうち、レーザビームによって露光されて電位が下がっている露光部分をいう。次いで、現像ローラ３１の回転により、現像ローラ３１上に担持されているトナーが、感光ドラム２７に対向して接触する時に、感光ドラム２７の表面上に形成される静電潜像に供給される。そして、トナーは、感光ドラム２７の表面上で選択的に担持されることによって可視像化され、これによって反転現像によりトナー像が形成される。
【００２１】
その後、感光ドラム２７と転写ローラ３０とは、図２に示す転写位置Ｃにおいて、用紙３を両者間で挟持して搬送するように回転駆動され、感光ドラム２７と転写ローラ３０との間を用紙３が搬送されることにより、感光ドラム２７の表面に担持されているトナー像が用紙３上に転写される。
【００２２】
＜定着部の構成＞
定着部１８は、プロセスカートリッジ１７の下流側に配設され、加熱ローラ４１、加熱ローラ４１と対向配置され加熱ローラ４１を押圧する押圧ローラ４２、および、これら加熱ローラ４１および押圧ローラ４２の下流側に設けられる１対の搬送ローラ４３を備えている。そして、このように構成される定着部１８では、用紙３上に転写されたトナーを、用紙３が加熱ローラ４１と押圧ローラ４２との間を通過する間に熱定着させ、その後、その用紙３を搬送ローラ４３によって、排紙パス４４に搬送するようにしている。なお、排紙パス４４に送られた用紙３は、排紙ローラ４５によって排紙トレイ４６上に排紙されるか、あるいは、排紙ローラ４５の逆回転およびフラッパ４９の切替によって装置内に戻されて、複数の反転搬送ローラ５０で画像形成部５の上流側に反転状態で再供給されて両面印刷がなされるようになっている。
【００２３】
＜転写位置周りの構造＞
次に、本発明の特徴部分となる転写位置周りの構造について詳細に説明する。参照する図面において、図２は、図１に示すレーザプリンタの転写位置周りの構造を簡易化して示す側断面図である。なお、図１の転写位置周りの構造は、説明の便宜上、適宜省略して示している。
【００２４】
図２に示すように、感光ドラム２７と転写ローラ３０との当接部（転写位置Ｃ）より上流側には、用紙３を感光ドラム２７へ向けて案内する案内板６１と、スポンジ６２とが上流側から順に設けられている。
【００２５】
案内板６１は、可撓性を有する絶縁性材料、たとえば、ポリエチレンテレフタレートなどの樹脂からなり、プレス加工などにより略矩形状のフィルム部材として形成されている。そして、この案内板６１は、上流側から下流側に向かって上方（転写ローラ３０の中心点から感光ドラム２７の中心点へ向かう方向）へ傾斜するように、その基端部（上流側の端部）６１ａが、第１台座５１ａに固定されている。また、この案内板６１は、前記したように第１台座５１ａによって傾斜状態で固定されることで、その先端部６１ｂが、常に感光ドラム２７に向いた状態で揺動自在となっている。
【００２６】
ここで、第１台座５１ａの上面は、案内板６１を固定する部位の上流側の部位が案内板６１の板厚以上の高さ分一段上がった段差形状となっており、これにより、紙詰まり（ジャム）が防止されるようになっている。また、第１台座５１ａの下部には、ニップ搬送方向ＮＤに沿って転写位置Ｃ側へ延びるとともに、転写位置Ｃよりも下側に配置される第２台座５１ｂが形成されている。ここで、「ニップ搬送方向」とは、像担持体と転写手段で記録シートを搬送する方向であり、本実施形態のように、像担持体と転写手段がともにローラ状であるときは、側面視におけるこれらの共通接線方向（または、両者の軸を結んだ方向に直交する方向）をいう。
【００２７】
そして、これらの第１台座５１ａおよび第２台座５１ｂは、筐体５１の一部として形成されている。なお、第１台座５１ａや第２台座５１ｂは、互いに別体に構成されていてもよく、また、筐体５１とは別体に構成されていてもよい。
【００２８】
スポンジ６２は、案内板６１よりも軟らかい多孔質の部材であり、矩形状に形成されて、案内板６１の揺動範囲Ｒ外に配設されている。詳しくは、スポンジ６２は、案内板６１の先端部６１ｂよりも転写位置Ｃ側の第２台座５１ｂ上に配設されている。また、言い換えると、スポンジ６２は、案内板６１から外れた用紙３の後端部３ａが下方へ振れた際に、この後端部３ａと当接可能な位置に配設されている。ここで、「揺動範囲Ｒ」とは、用紙３から加わる力によって案内板６１が実際に撓んで揺動する範囲であり、案内板６１が真っ直ぐの状態のときの位置から案内板６１が厚紙等のコシの強い用紙３によって最も撓んでいる状態のときの位置までの扇状の範囲をいう。なお、この揺動範囲Ｒ内において、案内板６１とスポンジ６２は当接しないようになっている。
【００２９】
＜スポンジの作用の説明＞
次に、用紙３の後端部３ａが案内板６１を通り抜けるときのスポンジ６２の作用を主に図３を参照して説明する。参照する図面において、図３は、案内板で用紙の後端を支持している状態を示す側断面図（ａ）と、案内板先端から用紙の後端が外れた状態を示す側断面図（ｂ）である。
【００３０】
図３（ａ）に示すように、用紙３が図示右側から左側に搬送されていく際において、用紙の後端部３ａが案内板６１から外れるまでの間では、用紙３が案内板６１によって感光ドラム２７側に寄せられることにより、プレ転写の抑制が図られている。そして、図３（ｂ）に示すように、用紙３の後端部３ａが案内板６１から外れて下方に振れると、その後端部３ａはスポンジ６２によって受け止められて、そのばたつきが抑制される。さらに、このとき、スポンジ６２が案内板６１よりも軟らかい部材であることから、後端部３ａがスポンジ６２にぶつかった際に、音がほとんど生じない。そして、その後は、用紙３の後端部３ａがスポンジ６２で支持されつつ転写位置Ｃへと搬送されることとなる。
【００３１】
以上によれば、本実施形態において以下のような効果を得ることができる。
案内板６１から外れた用紙３の後端部３ａがスポンジ６２によって受け止められることによって、その後端部３ａのばたつきが抑えられるので、用紙３に形成される画像の品質を向上させることができる。
【００３２】
用紙３の後端部３ａの振れを、案内板６１よりも軟らかいスポンジ６２で受けることによって、音がほとんど生じないので、使用者が快適にレーザプリンタ１を使用することができる。さらに、緩衝部材にスポンジ６２を採用することにより、スポンジ６２内の空隙によって音を吸収することができるので、吸音効果をさらに高めることができる。
【００３３】
スポンジ６２を案内板６１の揺動範囲Ｒ外に設けることで、案内板６１とスポンジ６２との接触により用紙３に電気が流れることが防止されるので、用紙３に形成される画像の転写バイアスによる品質低下をより抑制することができる。なお、このような用紙３に電気が流れる現象が起こらない場合や電気が流れても画像の品質に影響がない場合などには、案内板６１の揺動範囲Ｒ内にスポンジ６２の一部が配置されてもよい。
【００３４】
また、スポンジ６２を案内板６１の揺動範囲Ｒ外に設けることで、案内板６１の撓み変形が阻害されないので、用紙３が厚紙である場合であっても、案内板６１を良好に撓ませて、ジャムの発生を抑えることができる。
【００３５】
なお、本発明は前記実施形態に限定されることなく、以下に例示するように様々な形態で利用できる。
例えば、スポンジ（緩衝部材）６２の形状としては、以下に示すような様々な形状を採用してもよい。
【００３６】
＜スポンジの変形例＞
［変形例１］
図４に示すように、変形例１に係るスポンジ６３は、その上面６３ａの下流側が上流側よりも感光ドラム２７に近づくように（上側に位置するように）、上面６３ａをニップ搬送方向ＮＤに対して傾斜させた構造となっている。言い換えると、スポンジ６３の上面６３ａは、その下流側から上流側に向かって下り勾配となるように、ニップ搬送方向ＮＤに対して傾斜している。また、このスポンジ６３の一部としての下流側上部の角部６３ｂは、転写位置Ｃよりも上側（感光ドラム２７側）に位置するように形成されている。
【００３７】
以上、変形例１によれば、以下のような効果を得ることができる。
スポンジ６３の上面６３ａが、その下流側から上流側に向かって下り勾配となっているので、例えば用紙３の先端が下方に向けて曲がっている場合であっても、用紙３の先端を傾斜した上面６３ａで受け止めて、感光ドラム２７側に確実に案内することができる。
さらに、スポンジ６３の角部６３ｂが転写位置Ｃよりも上側に位置するので、その角部６３ｂによって用紙３を感光ドラム２７側に寄せた状態で支持することができる。そのため、プレ転写をより抑えることができる。
【００３８】
［変形例２］
図５に示すように、変形例２に係るスポンジ６４は、その上面６４ａが、ニップ搬送方向ＮＤに対して平行で、かつ、転写位置Ｃよりも上側に位置するように、上下方向において所定の厚さを有する矩形状に形成されている。言い換えると、用紙３と当接する部位としてのスポンジ６４の下流側上部の角部６４ｂが、９０°の角度で形成され、かつ、転写位置Ｃよりも上側に位置するように形成されている。
【００３９】
以上、変形例２によれば、以下のような効果を得ることができる。
スポンジ６４の上面６４ａが、ニップ搬送方向ＮＤに対して平行となることによって、用紙３と当接する角部６４ｂの角度が９０°となるので、用紙３を支持する角部６４ｂが潰れにくくなる。そのため、用紙３の位置を略一定に維持することができる。
さらに、スポンジ６４の角部６４ｂが転写位置Ｃよりも上側に位置するので、その角部６４ｂによって用紙３を感光ドラム２７側に寄せた状態で支持することができる。そのため、プレ転写をより抑えることができる。
【００４０】
［変形例３］
図６に示すように、変形例３に係るスポンジ６５は、その上面６５ａの下流側が上流側よりも転写ローラ３０に近づくように（下側に位置するように）、上面６５ａをニップ搬送方向ＮＤに対して傾斜させた構造となっている。言い換えると、スポンジ６５の上面６５ａは、その下流側から上流側に向かって上り勾配となるように、ニップ搬送方向ＮＤに対して傾斜している。また、このスポンジ６５の一部としての上流側上部の角部６５ｂは、転写位置Ｃよりも上側に位置するように形成されている。さらに、スポンジ６５の下流側上部の角部６５ｃの角度は、上面６５ａが下流側から上流側に向かって上り勾配となるように傾斜することによって、鈍角となっている。
【００４１】
以上、変形例３によれば、以下のような効果を得ることができる。
スポンジ６５の上面６５ａが、その下流側から上流側に向かって上り勾配となることによって、用紙３と当接する部位が上面６５ａ自体もしくは下流側上部の鈍角となる角部６５ｃとなるので、用紙３を支持する部位が潰れにくくなる。そのため、用紙３の位置を略一定に維持することができる。
さらに、スポンジ６５の上流側上部の角部６５ｂが転写位置Ｃよりも上側（感光ドラム２７側）に位置するので、その角部６５ｂ近傍の上面６５ａによって用紙３を感光ドラム２７側に寄せた状態で支持することができる。そのため、プレ転写をより抑えることができる。
【００４２】
［変形例４］
図７に示すように、変形例４に係るスポンジ６６は、その上面６６ａのうち上流側の面６６ａ’と下流側の面６６ａ”を、ニップ搬送方向ＮＤに対して傾斜させることによって、その上部が山型となるように形成されている。そして、この山型となったスポンジ６６の頂上部６６ｂは、転写位置Ｃよりも上側（感光ドラム２７側）に位置するように形成されている。
【００４３】
以上、変形例４によれば、以下のような効果を得ることができる。
上流側の面６６ａ’が、下流側から上流側に向けて下り勾配となっているので、例えば用紙３の先端が下方に向けて曲がっている場合であっても、用紙３の先端を傾斜した上流側の面６６ａ’で受け止めて、感光ドラム２７側に確実に案内することができる。
また、下流側の面６６ａ”が、下流側から上流側に向かって上り勾配となることによって、用紙３と当接する部位が面６６ａ”自体もしくは下流側上部の鈍角となる角部となるので、用紙３を支持する部位が潰れにくくなる。そのため、用紙３の位置を略一定に維持することができる。
さらに、スポンジ６６の頂上部６６ｂが転写位置Ｃよりも上側に位置するので、その頂上部６６ｂが用紙３を感光ドラム２７側に寄せた状態で支持することができる。そのため、プレ転写をより抑えることができる。
【００４４】
なお、前記実施形態や各変形例で示した各スポンジ６２〜６６、すなわち緩衝部材は、用紙の幅方向（用紙の面と平行な方向であり、かつ、搬送方向と直交する方向）において複数に分割し、それらを所定の隙間を介して配設するようにしてもよい。これによれば、用紙と緩衝部材との摩擦抵抗が減るため、用紙をスムーズに搬送することができる。
【００４５】
＜その他の実施形態＞
前記実施形態では、レーザプリンタ１に本発明を適用したが、本発明はこれに限定されず、その他の画像形成装置、例えば複写機や複合機などに本発明を適用してもよい。
前記実施形態では、像担持体の一例として、感光ドラム２７を採用したが、本発明はこれに限定されず、例えばトナーを担持する中間転写ベルトや感光体ベルトなどを採用してもよい。
前記実施形態では、緩衝部材の一例としてスポンジ６２を採用したが、本発明はこれに限定されず、例えばゴムやフェルトなどを採用してもよい。
【００４６】
前記実施形態では、搬送手段の一例として、給紙ローラ８、紙粉取りローラ１０，１１およびレジストローラ１２を採用したが、本発明はこれに限定されず、どのような機構であってもよい。例えば、手差しトレイから挿入される用紙を転写位置へ搬送するための機構を、搬送手段としてもよい。
【００４７】
前記実施形態では、転写手段の一例として転写ローラ３０を採用したが、本発明はこれに限定されず、例えば非接触型のものを採用してもよい。
【００４８】
前記実施形態では、記録シートの一例として、厚紙、はがき、薄紙などの用紙３を採用したが、本発明はこれに限定されず、例えばＯＨＰシートであってもよい。
前記実施形態では、緩衝部材としてのスポンジ６２を、案内板６１の先端部６１ｂよりも転写位置Ｃ側に配設したが、本発明はこれに限定されず、案内板６１の揺動範囲Ｒ外であれば、案内板６１の下方まで延びるように形成してもよい。この場合は、スポンジ６２の設置面（下面）を広げることができるので、第２台座５１ｂ上にスポンジ６２を安定して設置することができる。
【００４９】
前記実施形態では、感光ドラム２７を上側、転写ローラ３０を下側としたが、本発明はこれに限定されず、これらの配置は適宜変更可能である。例えば、感光ドラム２７を下側、転写ローラ３０を上側とした構造や、感光ドラム２７を左側、転写ローラ３０を右側とした構造などを採用してもよい。
前記実施形態では、ニップ搬送方向ＮＤを水平としたが、本発明はこれに限定されず、例えば水平面に対して斜めに設定してもよい。
【００５０】
前記実施形態では、案内板６１をプロセスカートリッジ１７側に設けたが、本発明はこれに限定されず、レーザプリンタ１側（プリンタ本体）に設けてもよい。
前記実施形態では、スポンジ６２をプロセスカートリッジ１７側に設けたが、本発明はこれに限定されず、レーザプリンタ１側（プリンタ本体）に設けてもよい。
【００５１】
前記実施形態では、第１台座５１ａをプロセスカートリッジ１７側に設けたが、本発明はこれに限定されず、レーザプリンタ１側（プリンタ本体）に設けてもよい。
前記実施形態では、第２台座５１ｂをプロセスカートリッジ１７側に設けたが、本発明はこれに限定されず、レーザプリンタ１側（プリンタ本体）に設けてもよい。
【００５２】
前記実施形態では、転写ローラ３０をプロセスカートリッジ１７側に設けたが、本発明はこれに限定されず、レーザプリンタ１側（プリンタ本体）に設けてもよい。
前記実施形態では、トナーを正極に帯電させる方式のプリンタに本発明を適用したが、本発明はこれに限定されず、トナーを負極に帯電させる方式のプリンタに本発明を適用してもよい。
【００５３】
なお、案内板は、以下に示すような構造としてもよい。
（１）案内板を用紙の幅方向において複数に分割し、それらを所定の隙間を介して配設するようにしてもよい。これによれば、用紙と案内板との摩擦抵抗が減るため、用紙をスムーズに搬送することができる。
【００５４】
（２）案内板の先端部に搬送方向に沿った切れ目（スリット）や切り欠きを１つまたは複数設けてもよい。これによれば、案内板に皺を寄せずに、精度良く取り付けることができる。なお、このように切れ目等を設ける場合には、切れ目の根元に孔を開けたり、切り欠きの形状を略矩形や略Ｕ字状等にすることで、案内板が切れ目等を基準に裂けるのを抑えるのが望ましい。
【００５５】
（３）案内板をプレス加工で形成する場合は、プレス加工において先に裁断刃と接触する側の面を表面、その反対側の面を裏面とした場合に、その表面、つまり、プレス加工のだれ面が、用紙と接触する上面となるように配置するのがよい。これによれば、用紙が案内板周縁のばりに引っ掛かることがないので、用紙をスムーズに搬送することができる。
【図面の簡単な説明】
【００５６】
【図１】本発明の画像形成装置の一例としてのレーザプリンタの一実施形態を示す側断面図である。
【図２】図１に示すレーザプリンタの転写位置周りの構造を簡易化して示す側断面図である。
【図３】案内板で用紙の後端を支持している状態を示す側断面図（ａ）と、案内板先端から用紙の後端が外れた状態を示す側断面図（ｂ）である。
【図４】変形例１に係るスポンジを示す側断面図である。
【図５】変形例２に係るスポンジを示す側断面図である。
【図６】変形例３に係るスポンジを示す側断面図である。
【図７】変形例４に係るスポンジを示す側断面図である。
【符号の説明】
【００５７】
１      レーザプリンタ（画像形成装置）
３      用紙（記録シート）
３ａ    後端部
５      画像形成部
８      給紙ローラ（搬送手段）
１０，１１  紙粉取りローラ（搬送手段）
１２    レジストローラ（搬送手段）
２７    感光ドラム（像担持体）
３０    転写ローラ（転写手段）
５１    筐体
５１ａ  第１台座
５１ｂ  第２台座
６１    案内板
６１ａ  基端部
６１ｂ  先端部
６２    スポンジ（緩衝部材）
Ｃ      転写位置
ＮＤ    ニップ搬送方向
Ｒ      揺動範囲
【図１】
2008026809.tif 000003
【図２】
2008026809.tif 000004
【図３】
2008026809.tif 000005
【図４】
2008026809.tif 000006
【図５】
2008026809.tif 000007
【図６】
2008026809.tif 000008
【図７】
2008026809.tif 000009